(57)【要約】【課題】アイメイク用の三面鏡を備えていても、良好な操作性で化粧操作することが可能なアイメイク用化粧料容器を提供する。【解決手段】アイメイクのために縦向きに展開可能な三面の鏡面を有する三面鏡１に重ね合わせる配置で、三面鏡１の鏡面に沿って外側へ出し入れ可能に回転自在に容器本体２を設けた。容器本体２と三面鏡１との間には、これらが重ね合わされた状態で両者を互いに係脱自在に係止する係止部が設けられている。三面鏡１を正面に向けて顔を映している状態そのままで、正面の鏡板４ａと同じ方向を向いている容器本体２の上面２ａから化粧料Ｐを取って化粧を施す反復的な動作を行うことができ、良好な操作性で化粧をすることができる。【選択図】図１
2005261683.tif 000002
【特許請求の範囲】
【請求項１】
アイメイクのために縦向きに展開可能な三面の鏡面を有する三面鏡に重ね合わせる配置で、該三面鏡の鏡面に沿って外側へ出し入れ可能に回転自在に容器本体を設けたことを特徴とするアイメイク用化粧料容器。
【請求項２】
前記容器本体と前記三面鏡との間には、これらが重ね合わされた状態で両者を互いに係脱自在に係止する係止部が設けられていることを特徴とする請求項１に記載のアイメイク用化粧料容器。
【発明の詳細な説明】
【技術分野】
【０００１】
本発明は、アイメイク用の三面鏡を備えていても、良好な操作性で化粧操作することが可能なアイメイク用化粧料容器に関する。
【背景技術】
【０００２】
従来、化粧料容器の中には、横向きに展開される三面鏡を有するものが知られている（例えば、特許文献１〜３参照）とともに、特に眼の上側や下側を見易くする目的で、例えば特許文献４に開示されているように、化粧料が収納される容器本体にヒンジを介して回動自在に連結されて当該容器本体を開閉する蓋体の表面に、縦向きに展開される三面鏡の正面鏡の背面を重ね合わせて取り付けるようにした化粧料容器も知られている。
【特許文献１】実開昭６２−７９１１号公報
【特許文献２】実開昭６２−７８８０７号公報
【特許文献３】特開２０００−１７５７３８号公報
【特許文献４】特開平１１−２９９５３９号公報
【発明の開示】
【発明が解決しようとする課題】
【０００３】
ところで、特許文献４に開示された化粧料容器では、化粧をする際、化粧操作を見るための三面鏡の反対側に蓋体を挟んで、化粧料を収納している容器本体が位置することになるため、三面鏡を正面に向けて化粧をする一方で、化粧具に化粧料を付着するときには手を回すなどして三面鏡を顔から逸らして容器本体を正面に向けなければならず、そしてまた三面鏡を元の位置に戻して顔を映すというように操作する必要があって、化粧をする際の操作性がよくないという課題があった。
【０００４】
本発明は上記従来の課題に鑑みて創案されたものであって、アイメイク用の三面鏡を備えていても、良好な操作性で化粧操作することが可能なアイメイク用化粧料容器を提供することを目的とする。
【課題を解決するための手段】
【０００５】
本発明にかかるアイメイク用化粧料容器は、アイメイクのために縦向きに展開可能な三面の鏡面を有する三面鏡に重ね合わせる配置で、該三面鏡の鏡面に沿って外側へ出し入れ可能に回転自在に容器本体を設けたことを特徴とする。
【０００６】
また、前記容器本体と前記三面鏡との間には、これらが重ね合わされた状態で両者を互いに係脱自在に係止する係止部が設けられていることを特徴とする。
【発明の効果】
【０００７】
本発明にかかるアイメイク用化粧料容器にあっては、アイメイク用の三面鏡を備えていても、良好な操作性で化粧操作することができる。
【発明を実施するための最良の形態】
【０００８】
以下に、本発明にかかるアイメイク用化粧料容器の好適な一実施形態を、添付図面を参照して詳細に説明する。本実施形態にかかるアイメイク用化粧料容器は基本的には、図１〜図４に示すように、アイメイクのために縦向きに展開可能な三面の鏡面を有する三面鏡１に重ね合わせる配置で、三面鏡１の鏡面に沿って外側へ出し入れ可能に回転自在に容器本体２を設けて構成される。また、容器本体２と三面鏡１との間には、これらが重ね合わされた状態で両者を互いに係脱自在に係止する係止部３が設けられる。
【０００９】
三面鏡１は本実施形態にあっては、正面の鏡板４ａが取り付けられた板状の中央鏡枠４と、この中央鏡枠４の下端縁に下側ヒンジ５を介して回動自在に設けられ、回動されて正面の鏡板４ａに向かい合わせて重ね合わされる下側の鏡板６ａが取り付けられた板状の下部鏡枠６と、中央鏡枠４の上端縁に上側ヒンジ７を介して回動自在に設けられ、回動されて下部鏡枠６の裏面に重ね合わされる上側の鏡板８ａが取り付けられた板状の上部鏡枠８とから構成される。特に、上側ヒンジ７は、中央鏡枠４上に下部鏡枠６を重ね合わせた状態で、当該下部鏡枠６上に上部鏡枠８を重ね合わせるために、下部鏡枠６の板厚相当の高さ寸法で形成される。そしてこの三面鏡１は、上側ヒンジ７および下側ヒンジ５により、中央鏡枠４に対し、上部鏡枠８を上側に、下部鏡枠６を下側に回動させて縦向きに展開させることが可能で、これによりアイメイクに便利なように三面の鏡板４ａ，６ａ，８ａが上下方向へ縦向きに配置されるようになっている。
【００１０】
この三面鏡１、具体的には正面の鏡板４ａが取り付けられる中央鏡枠４にはその下側に、これに重ね合わせる配置で、容器本体２が設けられる。この容器本体２は、その上面２ａから窪ませて形成した複数の窪み部９を有する板状に形成され、これら窪み部９には、上面２ａから取り出すことができるように化粧料Ｐが充填され、また図示しない化粧具が収納される。そしてこの容器本体２と中央鏡枠４との間には、これらを互いに重ね合わせたときに互いに一致する四隅のうちの一つの隅角部に、これらを相対的に回動自在に連結する回動機構１０が設けられる。
【００１１】
回動機構１０は、容器本体２を上下方向に貫通させて形成されたピン穴１１に、中央鏡枠４の下面から突設された回動ピン１２がその軸周りに回動自在に挿入されて構成され、これにより容器本体２は、中央鏡枠４、ひいては三面鏡１に対してその外形寸法内に納まるように重ね合わせて配置される状態から回動操作されることで、三面鏡１の鏡面、図示例にあっては正面の鏡板４ａの鏡面に沿って中央鏡枠４から外側へ向かって出し入れ可能に引き出されるようになっている。そして引き出された状態では、化粧料Ｐなどを取り出すことができる容器本体２の上面２ａが正面の鏡板４ａと同じ方向に面するようになっている。
【００１２】
さらに、これら容器本体２と中央鏡枠４との間には、これらを重ね合わせたときに両者が容易にずれてしまうことを防止して重ね合わせ状態を維持するために、これらを互いに係脱自在に係止する係止部３が設けられる。この係止部３は図示例にあっては、回動機構１０から離れた他の隅角部に位置させて、容器本体２の上面２ａに形成された隆起部１３と、中央鏡枠４の下面に当該隆起部１３に嵌り合うように形成された凹部１４とから構成される。
【００１３】
本実施形態にかかるアイメイク用化粧料容器の作用について説明すると、化粧操作をする際には、上側および下側ヒンジ５，７を介して中央鏡枠４に対し上部鏡枠８および下部鏡枠６をそれぞれ上側および下側に回動操作して縦向きに展開させることにより三面鏡１を開いて、眼の周りを映すことができるように手指で支えるとともに、容器本体２の周囲を押圧することにより、係止部３を離脱させかつ回動機構１０を介して回動操作して、中央鏡枠４の裏側から外側へ容器本体２を引き出すようにする。そして引き出した容器本体２の上面２ａから化粧具を手にとって化粧料Ｐを付着させることにより、三面鏡１を見ながら化粧操作を行うことができる。化粧操作が終わったときには、容器本体２を回動操作して元に戻せば、係止部３が係止されて中央鏡枠４に重ね合わせることができ、さらに三面鏡１を折り畳むようにすればよい。
【００１４】
以上説明したように本実施形態にかかるアイメイク用化粧料容器にあっては、中央鏡枠４に対しこれと重ね合わせる配置で、かつ化粧料Ｐなどを取り出すことができる容器本体２の上面２ａを正面の鏡板４ａと同じ方向に向けて、当該中央鏡枠４の裏側から外側へ向かって正面の鏡板４ａの鏡面に沿って出し入れ可能に回動自在に容器本体２を設けるようにしたので、従来のように三面鏡を正面に向けて化粧をする一方で、化粧具に化粧料を付着するときには手を回すなどして三面鏡を顔から逸らして容器本体を正面に向けるようにし、さらにまた三面鏡を元の位置に戻して顔を映すというような煩雑な操作を必要とせずに、三面鏡１を正面に向けて顔を映している状態そのままで、正面の鏡板４ａと同じ方向を向いている容器本体２の上面２ａから化粧料Ｐを取って化粧を施す反復的な動作を行うことができ、良好な操作性で化粧をすることができる。そして本実施形態にあっては、構造は非常に簡単である反面、化粧の操作性に対してきわめて顕著な改善を図ることができる。
【００１５】
また、係止部３により、容器本体２と三面鏡１の重ね合わせ状態を安定的に維持することができ、不用意に容器本体２が回動して化粧料Ｐが露出してしまうことを防止することができる。また、さらに容器本体２と中央鏡枠４との間に、容器本体２を中央鏡枠４から引き出した状態で両者を互いに係止して位置保持する別の係止部を設けるようにしてもよく、このようにすれば、化粧に際し、三面鏡１に対して容器本体２が振れ動くことを防止することができる。
【００１６】
本実施形態は、中央鏡枠４に重ね合わせて容器本体２を設ける構成を例示して説明されているが、上部鏡枠８や下部鏡枠６にも、容器本体２を重ね合わせて設けるようにしてもよい。また中央鏡枠４を板状としているが、容器本体２をその上下から挟み込むことができる断面コ字状に形成してもよい。下部鏡枠６もしくは上部鏡枠８、さらには中央鏡枠４に加えてこれら上部および下部鏡枠６，８をも断面コ字状に形成して、中央鏡枠４と同様にそれぞれに容器本体２を重ね合わせて配置するようにしてもよい。また、本実施形態にあっては、下部鏡枠６を上部鏡枠８と中央鏡枠４との間に挟み込む重ね合わせの形態を例示しているが、上部鏡枠８を挟み込むようにしてもよい。
【図面の簡単な説明】
【００１７】
【図１】本発明にかかるアイメイク用化粧料容器の好適な一実施形態を示す斜視図である。
【図２】図１のアイメイク用化粧料容器の側断面図である。
【図３】図１のアイメイク用化粧料容器の係止部を示す要部拡大正面断面図である。
【図４】図１のアイメイク用化粧料容器の使用状態を示す説明図である。
【符号の説明】
【００１８】
１  三面鏡
２  容器本体
３  係止部
【図１】
2005261683.tif 000003
【図２】
2005261683.tif 000004
【図３】
2005261683.tif 000005
【図４】
2005261683.tif 000006